【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
イニシエータデバイスとの近距離通信（ＮＦＣ）接続を確立するようにターゲットデバイスを動作させる方法であって、
前記イニシエータデバイスから第１の搬送波信号を受信することと、ここで、前記第１の搬送波信号はポーリングコマンドを含む、
前記ポーリングコマンドが能動通信モードまたは受動通信モードを要求したかを判定することと、
前記ポーリングコマンドに応じて前記ターゲットデバイスにおけるＮＦＣクロック生成器を選択的に使用可能にすることと
を備える、方法。
【請求項２】
前記ＮＦＣクロック生成器は、使用可能であるとき、前記ターゲットデバイスから第２の搬送波信号を送信することに関連したクロック信号を生成するためのものである、
請求項１に記載の方法。
【請求項３】
前記選択的に使用可能にすることは、
前記ポーリングコマンドが前記受動通信モードを要求したときに、前記ＮＦＣクロック生成器を使用不可の状態に維持することと、
前記ポーリングコマンドが前記能動通信モードを要求したときに、前記ＮＦＣクロック生成器を使用可能にすることと
を備える、請求項１に記載の方法。
【請求項４】
前記ターゲットデバイスは、前記ポーリングコマンドを復号した後にのみ前記ＮＦＣクロック生成器を使用可能にするためのものである、
請求項３に記載の方法。
【請求項５】
使用可能な前記ＮＦＣクロック生成器によって生成されたクロック信号を使用して前記ターゲットデバイスから第２の搬送波信号を送信することをさらに備える、
請求項３に記載の方法。
【請求項６】
前記ポーリングコマンドへの応答を前記第２の搬送波信号に変調することをさらに備える、
請求項５に記載の方法。
【請求項７】
前記ターゲットデバイスは、前記能動通信モードの要求を受信した後の延長時間期間の間、前記第１の搬送波信号を受信し続けるためのものであり、前記延長時間期間は、前記ＮＦＣクロック生成器がクロック信号を安定化させる時間に対応する、
請求項１に記載の方法。
【請求項８】
近距離通信（ＮＦＣ）デバイスであって、
イニシエータデバイスから第１の搬送波信号を受信するための手段と、ここで、前記第１の搬送波信号はポーリングコマンドを含む、
前記ポーリングコマンドが能動通信モードまたは受動通信モードを要求したかを判定するための手段と、
前記ポーリングコマンドが前記受動通信モードを要求したときに、ＮＦＣクロック生成器を使用不可の状態に維持するための手段と、
前記ポーリングコマンドが前記能動通信モードを要求したときに、前記ＮＦＣクロック生成器を使用可能にするための手段と
を備える、ＮＦＣデバイス。
【請求項９】
前記ＮＦＣクロック生成器は、使用可能であるとき、前記ＮＦＣデバイスから第２の搬送波信号を送信することに関連したクロック信号を生成するためのものである、
請求項８に記載のＮＦＣデバイス。
【請求項１０】
前記ＮＦＣデバイスは、前記ポーリングコマンドを復号した後にのみ前記ＮＦＣクロック生成器を使用可能にするためのものである、
請求項８に記載のＮＦＣデバイス。
【請求項１１】
使用可能な前記ＮＦＣクロック生成器によって生成されたクロック信号を使用して前記ＮＦＣデバイスから第２の搬送波信号を送信するための手段をさらに備える、
請求項８に記載のＮＦＣデバイス。
【請求項１２】
前記ポーリングコマンドへの応答を前記第２の搬送波信号に変調するための手段をさらに備える、
請求項１１に記載のＮＦＣデバイス。
【請求項１３】
前記ＮＦＣデバイスは、前記能動通信モードの要求を受信した後の延長時間期間の間、前記第１の搬送波信号を受信し続けるためのものであり、前記延長時間期間は、前記ＮＦＣクロック生成器がクロック信号を安定化させる時間に対応する、
請求項８に記載のＮＦＣデバイス。
【請求項１４】
プログラム命令を含む非一時的なコンピュータ読取可能媒体であって、前記プログラム命令が近距離通信（ＮＦＣ）デバイスのプロセッサによって実行されるとき、前記ＮＦＣデバイスに、
イニシエータデバイスから第１の搬送波信号を受信することと、ここで、前記第１の搬送波信号は能動通信モードまたは受動通信モードのいずれかを要求するポーリングコマンドを含む、
前記ポーリングコマンドを復号することに応じてＮＦＣクロック生成器を選択的に使用可能にすることと
を行わせる、非一時的なコンピュータ読取可能媒体。
【請求項１５】
前記ＮＦＣクロック生成器は、使用可能であるとき、前記ＮＦＣデバイスから第２の搬送波信号を送信することに関連したクロック信号を生成するためのものである、
請求項１４に記載の非一時的なコンピュータ読取可能媒体。
【請求項１６】
前記ＮＦＣクロック生成器を選択的に使用可能にするための前記プログラム命令の実行は、前記ＮＦＣデバイスに、
前記ポーリングコマンドが前記受動通信モードを要求したときに、前記ＮＦＣクロック生成器を使用不可の状態に維持することと、
前記ポーリングコマンドが前記能動通信モードを要求したときに、前記ＮＦＣクロック生成器を使用可能にすることと
を行わせる、
請求項１４に記載の非一時的なコンピュータ読取可能媒体。
【請求項１７】
前記ＮＦＣデバイスは、前記ポーリングコマンドを復号した後にのみ前記ＮＦＣクロック生成器を使用可能にするためのものである、
請求項１６に記載の非一時的なコンピュータ読取可能媒体。
【請求項１８】
前記プログラム命令の実行はさらに、前記ＮＦＣデバイスに、
使用可能な前記ＮＦＣクロック生成器によって生成されたクロック信号を使用して前記ＮＦＣデバイスから第２の搬送波信号を送信することを行わせる、
請求項１６に記載の非一時的なコンピュータ読取可能媒体。
【請求項１９】
前記プログラム命令の実行はさらに、前記ＮＦＣデバイスに、
前記ポーリングコマンドへの応答を前記第２の搬送波信号に変調することを行わせる、
請求項１８に記載の非一時的なコンピュータ読取可能媒体。
【請求項２０】
前記プログラム命令の実行はさらに、前記ＮＦＣデバイスに、
前記能動通信モードの要求を受信した後の延長時間期間の間、前記第１の搬送波信号を受信し続けることを行わせ、前記延長時間期間は、前記ＮＦＣクロック生成器がクロック信号を安定化させる時間に対応する、
請求項１４に記載の非一時的なコンピュータ読取可能媒体。
【請求項２１】
近距離通信（ＮＦＣ）デバイスであって、
イニシエータデバイスから第１の搬送波信号を受信するための受信機と、ここで、前記第１の搬送波信号はポーリングコマンドを含む、
前記ポーリングコマンドが能動通信モードまたは受動通信モードを要求したかを判定することと、
前記ポーリングコマンドに応じて前記ＮＦＣデバイスにおけるＮＦＣクロック生成器を選択的に使用可能にすることと
を行うためのプロセッサと
を備える、ＮＦＣデバイス。
【請求項２２】
前記ＮＦＣクロック生成器は、使用可能であるとき、前記ＮＦＣデバイスから第２の搬送波信号を送信することに関連したクロック信号を生成するためのものである、
請求項２１に記載のＮＦＣデバイス。
【請求項２３】
前記プロセッサは、
前記ポーリングコマンドが前記受動通信モードを要求したときに、前記ＮＦＣクロック生成器を使用不可の状態に維持することと、
前記ポーリングコマンドが前記能動通信モードを要求したときに、前記ＮＦＣクロック生成器を使用可能にすることと
によって、前記ＮＦＣクロック生成器を選択的に使用可能にするためのものである、
請求項２１に記載のＮＦＣデバイス。
【請求項２４】
前記プロセッサは、前記ポーリングコマンドを復号した後にのみ前記ＮＦＣクロック生成器を使用可能にするためのものである、
請求項２３に記載のＮＦＣデバイス。
【請求項２５】
前記プロセッサはさらに、
使用可能な前記ＮＦＣクロック生成器によって生成されたクロック信号を使用して前記ＮＦＣデバイスから第２の搬送波信号を送信するためのものである、
請求項２３に記載のＮＦＣデバイス。
【請求項２６】
前記プロセッサはさらに、
前記ポーリングコマンドへの応答を前記第２の搬送波信号に変調するためのものである、
請求項２５に記載のＮＦＣデバイス。